(57)【要約】【課題】  パーソナルコンピュータの知識がなく、パーソナルコンピュータの使用になれていないユーザでも簡単に画像データの保存と画像出力が可能な画像記録装置を提供する。【解決手段】  デジタルカメラ２００によって撮影され、ＰＣカードに格納された画像情報をＰＣカードリーダ９を介して読み込んで一旦画像記録装置本体１００のハードディスク装置５に格納する。その後、ＣＲＴ表示装置３の表示を見ながら、表示された操作手順に従って画像処理などを行わせ、ＣＤ（ＣＤ−ＲＯＭ）１０に画像処理された画像データを転送して、画像をＣＤ（ＣＤ−ＲＯＭ）１０に記憶させる。【選択図】        図２
2005354720.tif 000002
【特許請求の範囲】
【請求項１】
画像情報が格納された記憶媒体から画像情報を読み出す読み出し手段と、
この読み出し手段によって読み出された画像情報を装置内の記憶手段に転送し、格納する第１の制御手段と、
前記記憶手段に書き込まれた画像情報を光記憶媒体に書き込む第２の制御手段と、
を備え、前記第２の制御手段は、書き込み条件を操作表示装置に表示し、当該操作表示装置から入力された書き込み条件に従って前記光記憶媒体への書き込みを行うことを特徴とする画像記録装置。
【請求項２】
前記画像情報が格納された記憶媒体が、デジタルカメラで撮影した画像情報が格納されたカード状記憶媒体、予め画像情報が格納されたデジタル・ビデオ・ディスク、及びビデオ・テープのいずれかであることを特徴とする請求項１記載の画像記録装置。
【請求項３】
前記書き込み条件が、再生画像に応じた画像処理、デジタルカメラの種類に応じた画像処理、画像サイズの補正処理、前記記憶手段に書き込まれた画像情報をそのまま光記憶媒体に記憶させる処理、及び前記記憶手段に書き込まれた画像情報を編集して光記憶媒体に記憶させる処理の少なくとも１つの処理を行う条件であることを特徴とする請求項１記載の画像記録装置。
【請求項４】
前記画像情報が格納された記憶媒体が動画を格納したデジタル・ビデオ・ディスク及びビデオテープであり、これらの記憶媒体のいずれかから動画を前記操作表示装置に再生する動作再生手段と、所望の動画のタイミングを選択することにより静止画を獲得する手段とをさらに備え、前記第１の制御手段は、獲得した静止画を前記記憶手段に格納することを特徴とする請求項１記載の画像記録装置。
【請求項５】
前記第２の制御手段は、記録されている画像を自動的に表示する機能ソフトウエアを同時に前記光記憶媒体に書き込むことを特徴とする請求項１記載の画像記録装置。
【請求項６】
光記憶媒体を販売する光記憶媒体販売装置と、この光記憶媒体販売手段によって光記憶媒体を購入したときに、自動的に前記画像記録装置を起動させる第３の制御手段とをさらに備えていることを特徴とする請求項１記載の画像記録装置。
【発明の詳細な説明】
【技術分野】
【０００１】
本発明は、デジタルカメラで撮影した画像をデジタルカメラに備えられたメモリから光ディスクなどの他の媒体に記録する画像記録装置に関する。
【背景技術】
【０００２】
近年、銀塩写真に加えて電子的に画像を記録するいわゆるデジタル写真が一般に普及してきている。このデジタル写真を撮影する場合、デジタルカメラと称されるＣＣＤを備えたカメラが使用され、撮影したデータはメモリカードなどの専用の記録媒体に記憶させるように構成されたものが多い。撮影された画像はデジタルカメラをインターフェイスケーブルを使用して専用のプリンタに接続し、あるいは、専用のプリンタのカードスロットにメモリカードを挿入して画像データを取り込んでプリントアウトする場合と、パーソナルコンピュータにデータを取り込んでパーソナルコンピュータに接続されたプリンタによってプリントアウトする場合の２つに大別される。パーソナルコンピュータを使用できる人の場合、取り込んだ画像データに対して所望の加工ができることから、専用のプリンタを使用することなくパーソナルコンピュータに取り込んで画像処理や画像編集をした後、パーソナルコンピュータのプリンタから出力するようにして使用することが大半である。
【０００３】
しかし、このような使用形態であると、画像データの保存はパーソナルコンピュータ内のハードディスク装置を使用することになるので、画像データが蓄積されるにしたがって格納可能な画像データの容量は少なくなっていき、保存できない場合も生じる。また、記憶容量が少なくなったりデータを格納できなくなると、画像データの保存だけでなく、パーソナルコンピュータの他の使用についても問題が生じることになる。
【０００４】
さらに、このような状態になると、画像データを半永久的に保存したいというような要望には応えられなくなるとともに、ハードディスクが破壊されたときには、保存されていたデータが使用できなくなり、データが失われたことと同じ状況になる。このようなことから画像データを光ディスクなどの他の媒体に保存しておく必要がある。
【０００５】
一方、パーソナルコンピュータを使用できない人やパーソナルコンピュータを持っていない人はデジタルカメラに備えられているメモリしか使用することができないので、すぐにメモリがオーバーフローしてしまう。そのため、画像データを保存しておこうとすると、メモリカードを購入して交換しなければならない。ところがメモリカードは高価なので単に画像データの保存のためだけにメモリカードを複数枚購入するということは経済的な面からみても現実的な対応の仕方ではない。
【０００６】
他方、メモリカードを購入する代わりにパーソナルコンピュータ及びその周辺機器を購入するということも選択肢の１つであるが、メモリカードを複数枚購入するよりもさらに経済的負担が大きくなるとともに、それまでパーソナルコンピュータを使用していなかった人が、直ぐにデジタルカメラの画像処理を行なうことができるまでパーソナルコンピュータを使いこなせるものではない。
【発明の開示】
【発明が解決しようとする課題】
【０００７】
すなわち、現在のデジタルカメラでは、パーソナルコンピュータに画像データを転送して画像処理を行い、光ディスクなどの他の記録媒体に書き込もうとすると、前記デジタルカメラのメーカが指定した転送キットと光ディスク用のライタ（ＣＤライタ）などが必要であり、画像補正するためのソフトウエアも必要となる。また、ソフトウエアがあってもユーザが各画像について前記ソフトウエアを使用して画像補正の操作をパーソナルコンピュータで行なわなければならない。
【０００８】
パーソナルコンピュータでこのような環境を実現し、操作するにはパーソナルコンピュータに対する熟度と知識が必要である。そのため、銀塩写真用のカメラの代わりに、あるいは銀塩カメラと同等のものとしてデジタルカメラを認識するような一般のユーザが前述のような操作や作業を行なうことは不可能であるといってよい。
【０００９】
現在の写真環境では銀塩写真は例えば５０分前後、さらには３０分前後で同時プリントされた画像を見ることができ、このような環境になれたユーザ層が、デジタルカメラを購入したとしても、現在の銀塩写真の利便性を獲得できるかどうかという点で非常に疑問が残る。そのため、このようなユーザが安心して画像を保存し、必要なときにプリントアウトできるような装置が望まれる。
【００１０】
本発明は、このような背景に鑑みてなされたもので、その目的は、パーソナルコンピュータの知識がなく、パーソナルコンピュータの使用になれていないユーザでも簡単に画像データの保存と、パーソナルコンピュータやテレビなどに簡単に画像出力を行うことが可能な画像記録装置を提供することにある。
【課題を解決するための手段】
【００１１】
前記目的を達成するため、第１の手段は、画像情報が格納された記憶媒体から画像情報を読み出す読み出し手段と、この読み出し手段によって読み出された画像情報を装置内の記憶手段に転送し、格納する第１の制御手段と、前記記憶手段に書き込まれた画像情報を光記憶媒体に書き込む第２の制御手段とを備え、前記第２の制御手段は、書き込み条件を操作表示装置に表示し、当該操作表示装置から入力された書き込み条件に従って前記光記憶媒体への書き込みを行うことを特徴とする。
【００１２】
第２の手段は、第１の手段において、前記画像情報が格納された記憶媒体が、デジタルカメラで撮影した画像情報が格納されたカード状記憶媒体、予め画像情報が格納されたデジタル・ビデオ・ディスク、及びビデオ・テープのいずれかであることを特徴とする。
【００１３】
第３の手段は、第１の手段において、前記書き込み条件が、再生画像に応じた画像処理、デジタルカメラの種類に応じた画像処理、画像サイズの補正処理、前記記憶手段に書き込まれた画像情報をそのまま光記憶媒体に記憶させる処理、及び前記記憶手段に書き込まれた画像情報を編集して光記憶媒体に記憶させる処理の少なくとも１つの処理を行う条件であることを特徴とする。
【００１４】
第４の手段は、第１の手段において、前記画像情報が格納された記憶媒体が動画を格納したデジタル・ビデオ・ディスク及びビデオテープであり、これらの記憶媒体のいずれかから動画を前記操作表示装置に再生する動作再生手段と、所望の動画のタイミングを選択することにより静止画を獲得する手段とをさらに備え、前記第１の制御手段は、獲得した静止画を前記記憶手段に格納することを特徴とする。
【００１５】
第５の手段は、第１の手段において、前記第２の制御手段が記録されている画像を自動的に表示する機能ソフトウエアを同時に前記光記憶媒体に書き込むことを特徴とする。
【００１６】
第６の手段は、第１の手段において、光記憶媒体を販売する光記憶媒体販売装置と、この光記憶媒体販売手段によって光記憶媒体を購入したときに、自動的に前記画像記録装置を起動させる第３の制御手段とをさらに備えていることを特徴とする。
【００１７】
なお、これらの各手段において、第１ないし第３の制御手段は、後述の実施形態では、装置本体に設けられたＣＰＵ１に対応し、当該ＣＰＵ１が前記各制御手段の機能を実行する。
【発明の効果】
【００１８】
請求項１記載の発明によれば、書き込みを制御する第２の制御手段は、書き込み条件を操作表示装置に表示し、当該操作表示装置から入力された書き込み条件に従って光記憶媒体への書き込みを行うので、操作者が入力した書き込み条件にしたがって自動的に画像情報が格納された記憶媒体から画像情報を読み出して光記憶媒体に書き込むことができる。これにより、パーソナルコンピュータがなくとも、また、パーソナルコンピュータの操作に習熟していなくとも簡単に光記憶媒体への書き込みが可能となり、デジタル写真帳を簡単に作成することができる。
【００１９】
請求項２記載の発明によれば、画像情報が格納された記憶媒体が、デジタルカメラで撮影した画像情報が格納されたカード状記憶媒体、予め画像情報が格納されたデジタル・ビデオ・ディスク、及びビデオ・テープのいずれかであるので、市場に出荷されているデジタル画像情報からの取り込みが確実に行える。
【００２０】
請求項３記載の発明によれば、書き込み条件が、再生画像に応じた画像処理、デジタルカメラの種類に応じた画像処理、画像サイズの補正処理、前記記憶手段に書き込まれた画像情報をそのまま光記憶媒体に記憶させる処理、及び前記記憶手段に書き込まれた画像情報を編集して光記憶媒体に記憶させる処理の少なくとの１つの処理を行う条件であるので、書き込み条件に応じて適切な画像処理を行うことができる。
【００２１】
請求項４記載の発明によれば、動画を所望のタイミングで取り込んで獲得した静止画を記憶手段に格納するので、動画から簡単に静止画の写真帳を作成することができる。
【００２２】
請求項５記載の発明によれば、記録されている画像を自動的に表示する機能ソフトウエアを同時に光記憶媒体に書き込むので、光記憶媒体をパーソナルコンピュータ、テレビ、携帯型表示装置などのモニタ手段を備えた再生装置にロードするだけで、画像の自動表示が可能となり、パーソナルコンピュータなどの操作に習熟していなくとも、画像をモニタで見ることができる。
【００２３】
請求項６記載の発明によれば、光記憶媒体を販売する光記憶媒体販売装置と、この光記憶媒体販売手段によって光記憶媒体を購入したときに、自動的に前記画像記録装置を起動させる第３の制御手段とをさらに備えているので、光記憶媒体をもっていなくとも、その場で光記憶媒体に画像を記憶させることができるとともに、連続して操作を行うことができる。これにより、使用性に優れた装置とすることができる。
【発明を実施するための最良の形態】
【００２４】
以下、本発明の一実施形態について図面を参照して説明する。
【００２５】
図１は本発明の実施形態に係る画像記録装置の全体的な機械的構成を示す斜視図、図２は電気的構成を示す機能ブロック図である。
【００２６】
図２において、画像記録装置は、当該装置全体の制御と各部の制御を司る制御装置としての中央制御装置（以下、「ＣＰＵ」と称す。）１と、このＣＰＵ１に接続されたＤＶＤ（Digital Video Disc）記録装置２、ＣＲＴ表示装置３、ビデオキャプチャ４、ハードディスク装置（ＨＤ）５及びバーコードリーダ６と、前記ビデオキャプチャ４に接続されたビデオカメラ７及びビデオ再生装置８と、前記ハードディスク装置５に接続されたＰＣカードリーダ９とＣＤ−ＲＯＭ１０とから基本的に構成され、ＣＤ−ＲＯＭ１０は第１のＣＤ−ＲＯＭ１０ａと第２のＣＤ−ＲＯＭ１０ｂとからなる。
【００２７】
機械的構成としては、図１に示すように画像記録装置は、画像記録装置本体１００とＣＤ自動販売機１１０とから構成される。画像記録装置本体１００の上部にはＣＲＴ表示装置３が備えられ、その表示画面３ａが装置本体１００の上部前面に配されている。装置本体１００の上端にはビデオカメラ７が設置され、表示画面３ａに対向する操作者を撮影し、画像に取り込むことができるようになっている。表示画面３ａの下部には、コイン投入部１０１、説明表示部１０２、バーコード表示部１０３がそれぞれ設けられ、さらに、これらの下部にバーコードリーダ６の設置部１０４、ＰＣカード挿入孔１０５、ＣＤ（ＤＶＤ）ディスク投入口１０６、及びビデオディスクセットトレイ１０７がそれぞれ設けられている。      
ＣＤ自動販売機１１０は、前面にＣＤ取り出し口１１１が、また、当該取り出し口１１１横の側面には、コイン投入口１１２がそれぞれ設けられている。なお、ＣＤ自動販売機１１０の本体内部には販売するＣＤを格納したＣＤ格納部１１３が設けられている。
【００２８】
このＣＤ格納部１１３に格納されるＣＤは市販のもので、画像情報を書き込み、読み出し可能な光ディスクである。本実施形態に係る画像記録装置は、この光ディスクに対してデジタルカメラ２００で撮影し、デジタルカメラ２００内に格納された画像を前記光ディスク（ＣＤ−ＲＯＭ）に書き込むことが簡単にできるようにしたものである。
【００２９】
すなわち、ＣＤをＣＤ自動販売機１１０から購入すると、自動的に画像記録装置本体１００が作動状態になる。また、本画像記録装置１００はすでに書き込まれたＣＤに追記することも可能なので、ＣＤ自動販売機１１０から購入しない場合には、ＣＤ投入口１０６からＣＤを投入し、ＣＤがセットされると追記料金が請求されるので、その請求にしたがってコイン投入口１０２からコインを投入すると、画像記録装置１００は作動状態になる。この状態になると、ＣＲＴ表示画面３ａに操作表示がなされるので、その指示にしたがってバーコードリーダ１０４を操作し、所望の作業をすすめることになる。なお、この実施形態では、バーコードを使用した操作を例示しているが、当然、タッチパネルなどの入力装置を使用して入力操作を行なうように構成することもできることはいうまでもない。      
使用者が入力する情報は、使用したカメラの種類、記録する画像の選択、記録サイズ、フォーマットの種類、画像圧縮の有無などである。これらの選択をＣＲＴ表示画面３ａに表示されたガイドにしたがって入力していく。この選択画面は、具体的には図４ないし図７に示すようなものである。このような選択画面にしたがって操作を完了すると、画像の表示機能を備えたＣＤ（ＤＶＤ）が完成する。
【００３０】
完成したＣＤは、自宅のパーソナルコンピュータやＣＤ−ＲＯＭ再生環境にセットすれば、ＣＤに同時に書き込まれたソフトウエアが起動し、画像再生が始まって自動的に画像が表示される。なお、前記ソフトウエアは画像記録装置１００によって前記画像を書き込む時に同時に書き込まれる。このようにして１枚のＣＤが１冊の写真帳、言い換えれば写真アルバムとして機能することになる。
【００３１】
この画像記録装置１００によって作成される電子写真帳は単に画像を記録したものでなく、自己再生して記録されている画像を自動的に表示する機能ソフトを同時に書き込んでいるので、これ自体でパーソナルコンピュータで操作しなくとも自動表示することが可能となっている。本発明に係る画像記録装置は、この機能により単に画像のみを光ディスクや他の記録媒体に記録するものとは異なるものとなっている。
【００３２】
以下、図３のフローチャートを参照し、さらに詳しく説明する。図３はＣＤにデジタルカメラで撮影した画像情報を記録する本実施形態に係る画像記録装置１００の処理手順を示すフローチャートである。
【００３３】
このフローチャートでは、画像記録装置の待機状態で操作者がコインを投入すると、画像記録装置が起動する（ステップ３００，３０１）。なお、前述のようにＣＤ自動販売機１１０からＣＤを購入しても、前述のように画像記録装置１００が起動する。次いで、自分のデジタルカメラ２００からＰＣカードを取り出して画像記録装置本体１００のＰＣカード挿入口１０５に挿入するとともに（ステップ３０２）、ＣＤ投入口１０６から画像を書き込むＣＤを画像記録装置本体１００に装着する（ステップ３０３）。
【００３４】
このように入力側と書き込み側が画像記録装置本体１００に装着されると、ＰＣカードの画像をＣＤに書き込む操作が開始される（ステップ３０４）。操作が開始されると、ステップ３０２で選択された入力媒体が判断され、入力媒体がＰＣカードであると、まず、図４に示す選択画面がＣＲＴ表示画面３ａに表示され、この選択画面からデジタルカメラ２００の種類４０１を入力する。この入力はＣＲＴ表示画面３ａに表示されたバーコード４１１をバーコードリーダ６により読み取らせることにより行う（ステップ３０５）。なお、初期の設定や選択などは装置前面に設けられたバーコード１０３を読み込んで設定する場合もあり、この操作はすべてＣＲＴ表示画面３ａの表示に基づいて行う。次いで、ステップ３０６で画像を表示する。この画像はＰＣカード内の一連の内容を図７に示すように小さな画像で全部表示する。この中から画像記録する画像、または画像記録しない画像（両者は切り換え可能になっている）の選択を表示画面の画像の下に付けられた番号をバーコードで指定することにより行う（ステップ３０７）。画像を選択しない場合（バーコードにより「１．全部そのままコピー」を選択した場合）には、ステップ３０８で画像処理を行うかどうかを選択する。画像選択する場合（バーコードにより「２．画像選択コピー」を選択した場合）には選択した画像を抽出し（ステップ３１２）、明度、彩度補正処理を行う（ステップ３１３）。
【００３５】
ステップ３０８で画像処理を行う場合には、ステップ３１３に進み、明度、彩度補正処理を実行する（ステップ３１３）。これに対し、画像処理を行わない場合にはステップ３０９で画像を圧縮を行うかどうかチェックし、画像圧縮する場合（バーコードにより「４．圧縮する」を選択した場合）には、ステップ３１４で圧縮形式を指定し、ステップ３１５で圧縮処理を行って印刷用画像があれば（ステップ３１６）印刷用画像を追加し、さらに、操作者の肖像撮影の指定があれば肖像を追加し（ステップ３１８）、ＣＤに記録して（ステップ３１９）処理を終える。また、ステップ３１２で画像を抽出し、ステップ３１３で明度、彩度補正処理を行った場合には、ステップ３１４で圧縮形式を指定した後、その指定に従って圧縮処理を行いステップ３１５、ステップ３１６、ステップ３１８及びステップ３１９の処理を実行して全処理を終える。
【００３６】
一方、画像処理を行わない場合には、ステップ３０９でさらに画像圧縮を行うかどうかをチェックする。そして、画像圧縮を行う場合には、前述のようにステップ３１４ないしステップ３１９の処理を実行して全処理を終える。圧縮処理を行わない場合には、ＣＤのメモリ残量をチェックし（ステップ３１０）、メモリが不足していれば、ステップ３１５ないしステップ３１９の処理を実行して全処理を終える。メモリ残量が画像を記憶するに足る量であれば、さらに、ステップ３１１で印刷用画像を作成するか否かをチェックし、印刷用画像を作成するのであれば、ステップ３１６で印刷用画像を追加し、作成しないのであればそのままステップ３１８及びステップ３１９の処理を実行して全処理を終える。
【００３７】
また、ステップ３０２の処理における入力媒体がＰＣカードでないときには、ステップ３０４でビデオカメラ７の撮影が選択されているか、あるいは、ＰＣカードの代わりにビデオディスクが選択されているかをそれぞれチェックする。このチェックでビデオカメラ７の撮影が選択されていれば、ステップ３１７で表示画面３ａの前に立っている操作者を撮影し（ステップ３１７）、ＣＤに記録して（ステップ３１９）処理を終える。
【００３８】
これに対し、ステップ３０２における入力媒体の選択処理で、ＰＣカードではなくビデオディスクが選択されていれば（言い換えれば、ビデオディスクセットトレイ１３にビデオディスクがセットされていれば）、カメラの種類は関係ないので、そのままステップ３０６に進んで、前述の画像表示処理（ステップ３０６）以降の処理を実行する。
【００３９】
なお、ステップ３０７における選択画面は図４ないし図７のような表示画面であり、デジタルカメラの種類４０１、画像の選択４０２、記録媒体の選択５０１、記録画像の種類の選択５０２、画像の記録品質の選択６０１、画像のサムネイル表示７０１などの各表示があり、このような表示の中からバーコードをバーコードリーダ６を使用して選択する。
【００４０】
ステップ３０８の画像処理の選択処理では、明度、彩度、シャープネスの各補正を各デジタルカメラの種類に応じて処理する。これは予めデジタルカメラの種類に応じた（もしくはメーカが設定した特性に対応した）最適化の補正係数が記憶されており、この記憶された補正係数の値に基づいてステップ３０５で入力されたカメラの種類に応じて選択される。画像部の処理に関してはここでは特に触れないが、階調処理、γ補正処理、エッジ強調処理などの各種の処理を指定することもできる。
【００４１】
デジタルカメラで取られた画像の画像データの補正量を図８（ａ）ないし（ｃ）に示す。これらの図において、オリジナル画像の補正量を１としたとき、各係数はシャープネスに関してはエッジ部のコントラスト係数倍数を、コントラストはベタ部に係数倍数を、彩度、明度はＬＡＢ色空間のオリジナル画像の位置座標に掛ける係数倍数を示す。その他の画像の装飾、階調補正、色補正、画像ファイル形式の変換及び画像サイズについての補正条件は、画像処理の選択項目の中で選択することができる。この選択は、この実施形態では、何れもバーコードによって行われる。
【００４２】
ステップ３０９では、画像処理された画像データを圧縮するか否かを選択する工程であるが、ここで画像圧縮を選択し、画像圧縮が行われた場合、この画像記録装置１００によってＣＤに書き込まれたソフトウエアによって解凍し、再生することができる。
【００４３】
画像記録装置１００によって上記のようにしてＣＤに書き込まれた画像データをパーソナルコンピュータにセットし、読み出す場合には、同時に書き込まれたソフトウエアによって画像の自動表示モードと写真帳編集モードの２つのモードが選択できる。自動表示モードの場合には、画像が書き込まれた順で画像の再生表示が行われる。編集モードの場合は、書き込まれた画像の順番とは異なり、操作者の指示によって画像の順番を並べ直して表示するようにすることができる。順番を並べ直した場合、そのファイル情報は、画像記録装置本体１００内のハードディスク装置５に格納される。したがって、例えば、パーソナルコンピュータで「新たな写真帳」を選択した場合には、写真帳ファイルを自己のハードディスクに参照しに行く。もし、写真帳ファイルがハードディスクに存在しなければ「新規写真帳作成」の表示を行って編集モードに入る。既存の写真帳ファイルが存在する場合には、この写真帳ファイルを呼び出して表示モードに入る。このときの処理手順を図９のフローチャートに示す。
【００４４】
すなわち、ＣＤをパーソナルコンピュータにセットすると（ステップ９０１）、写真帳表示が行われ（ステップ９０２）、この表示で自動表示モードが編集モードのいずれかを選択する（ステップ９０３）。自動表示モードを選択すれば、自動で写真帳を表示し（ステップ９０４）、表示した画像をハードディスク５に情報ファイルとして保存する（ステップ９０５）。一方、ステップ９０３で編集モードを選択した場合には、ハードディスク５に格納されている既存の写真帳ファイルを検索する（ステップ９０６）。そして、編集作業を実行して写真の入れ替えや消去を行う（ステップ９０７）。編集が完了すると、写真帳の情報ファイルを作成し（ステップ９０８）。写真帳を表示して（ステップ９０４）情報ファイルを保存する（ステップ９０５）。
【００４５】
このように本実施形態に係る画像記録装置１００で作成されたＣＤは、写真帳ＣＤ−ＲＯＭとして保存することが可能となる。ＣＤ−ＲＯＭの記憶容量が一杯になると、次のＣＤに記録すればよく、このようにしてＣＤ−ＲＯＭの写真帳コレクションとなる。使用するＣＤは圧縮すれば数百枚の画像を保存することができるので、デジタルカメラを使用する限り、従来の写真帳に代わるものとなる。また、ここでは図示しないが、携帯型のディスプレイを使用すれば、どこでも見ることができ、テレビなどに接続されたＤＶＤなどの装置を使用して再生する環境も容易に実現することができる。また、このような環境でプリンタが接続されていれば、当該プリンタからのプリントアウトも簡単に行える。
【００４６】
なお、この実施形態では、使用者が撮影したデジタルカメラの映像を記録する例について説明したが、この他に例えば文書の記録に利用することができる。すなわち、従来のマイクロフィルムに代えてデジタル式の記憶媒体を使用すれば、その記憶媒体からＣＤに書き込むことによって大量のデータを簡単に格納することが可能となり、また、引き出すことも容易になる。さらには、データの整理も容易に行え、一旦、記憶させたものから、所望の分類に仕分け直して必要な画像データだけを取り出すような操作も簡単に行える。
【００４７】
また、本画像記録装置本体１００にはビデオキャプチャ４が設けられているので、ビデオディスクから画像をグラフィックデータとして取り込み、時系列の静止画のファイリング装置として記録することができる。この時系列の静止画は、予めビデオ画像として記憶されたビデオディスク、ビデオテープなどからの画像を再生し、操作者が希望するタイミングでキャプチャーできるように記録ボタンを設け、記録ボタンを操作して所望のタイミングの画像をＣＰＵ１からハードディスク７側に転送して順次保存し、保存された画像を、前述のデジタルカメラの場合と同様にしてＣＤに保存していけば、ＣＤ−ＲＯＭの写真帳を作成することができる。なお、図２において、第１及び第２のＣＤ−ＲＯＭ１０ａ、１０ｂはそれぞれ写真帳作成のためのＣＤ−ＲＯＭであり、ＣＰＵ１を介してハードディスク５から画像データが転送される。
【００４８】
さらに、前述のようにビデオカメラ７を設けていることから、その場で人物撮影を行うことも可能であり、これにより作成された写真帳の最後に作者、または撮影者として自分の肖像画像を挿入することもできる。この工程はステップ３０４及びステップ３１７で説明した通りである。
【図面の簡単な説明】
【００４９】
【図１】本発明の一実施形態に係る画像記録装置の全体的構成を示す概略図である。
【図２】図１の画像記録装置の電気的構成を示すブロック図である。
【図３】図１の画像記録装置のＣＤに対する画像の書き込みの処理手順を示すフローチャートである。
【図４】図１の画像記録装置のＣＲＴ表示装置の選択画面の一例を示す図である。
【図５】図１の画像記録装置のＣＲＴ表示装置の選択画面の他の例を示す図である。
【図６】図１の画像記録装置のＣＲＴ表示装置の選択画面のさらに他の例を示す図である。
【図７】図１の画像記録装置のＣＲＴ表示装置の選択画面のさらに他の例を示す図である。
【図８】デジタルカメラで撮影した画像を補正するときの補正係数の例を示す図である。
【図９】図１の画像記録装置によってＣＤに書き込まれた画像情報をパーソナルコンピュータで処理するときの一例を示すフローチャートである。
【符号の説明】
【００５０】
１  ＣＰＵ
２  ＤＶＤ記録装置
３  ＣＲＴ表示装置
４  ビデオキャプチャ
５  ハードディスク装置
６  バーコードリーダ
７  ビデオカメラ
８  ビデオ再生装置
９  ＰＣカードリーダ
１０  ＣＤ−ＲＯＭ
１００  画像記録装置本体
１１０  ＣＤ自動販売機
【図１】
2005354720.tif 000003
【図２】
2005354720.tif 000004
【図３】
2005354720.tif 000005
【図４】
2005354720.tif 000006
【図５】
2005354720.tif 000007
【図６】
2005354720.tif 000008
【図７】
2005354720.tif 000009
【図８】
2005354720.tif 000010
【図９】
2005354720.tif 000011
【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
デジタル画像情報が格納された記憶媒体からデジタル画像情報を読み出す読み出し手段と、
この読み出し手段によって読み出されたデジタル画像情報を装置内の記憶手段に転送し、格納する第１の制御手段と、
前記記憶手段に書き込まれたデジタル画像情報を光記憶媒体に書き込む第２の制御手段と、
を備え、前記第２の制御手段は、書き込み条件を操作表示装置に表示し、当該操作表示装
置から入力された書き込み条件に従って前記光記憶媒体への書き込みを行うことを特徴と
する画像記録装置。
【請求項２】
前記デジタル画像情報が格納された記憶媒体が、デジタルカメラで撮影したデジタル画像情報が格納されたカード状記憶媒体、予めデジタル画像情報が格納されたデジタル・ビデオ・ディスク、及びビデオ・テープのいずれかであることを特徴とする請求項１記載の画像記録装置。
【請求項３】
前記書き込み条件が、再生画像に応じた画像処理、デジタルカメラの種類に応じた画像処理、画像サイズの補正処理、前記記憶手段に書き込まれたデジタル画像情報をそのまま光記憶媒体に記憶させる処理、及び前記記憶手段に書き込まれたデジタル画像情報を編集して光記憶媒体に記憶させる処理の少なくとも１つの処理を行う条件であることを特徴とする請求項１記載の画像記録装置。
【請求項４】
前記デジタル画像情報が格納された記憶媒体が動画を格納したデジタル・ビデオ・ディスク及びビデオテープであり、これらの記憶媒体のいずれかから動画を前記操作表示装置に再生する動作再生手段と、所望の動画のタイミングを選択することにより静止画を獲得する手段とをさらに備え、前記第１の制御手段は、獲得した静止画を前記記憶手段に格納することを特徴とする請求項１記載の画像記録装置。
【請求項５】
前記第２の制御手段は、記録されている画像を自動的に表示する機能ソフトウエアを同時に前記光記憶媒体に書き込むことを特徴とする請求項１記載の画像記録装置。
【請求項６】
光記憶媒体を販売する光記憶媒体販売装置と、この光記憶媒体販売手段によって光記憶媒体を購入したときに、自動的に前記画像記録装置を起動させる第３の制御手段とをさらに備えていることを特徴とする請求項１記載の画像記録装置。